【手続補正書】
【提出日】平成25年3月29日(2013.3.29)
【手続補正１】
【補正対象書類名】明細書
【補正対象項目名】００４９
【補正方法】変更
【補正の内容】
【００４９】
本発明によれば、特に、豊富度が高い流入ガスの場合、流入ガスに利用可能な、および／または第２蒸留蒸気ストリームおよび蒸留液ストリームから発した第１蒸溜蒸気ストリームに利用可能な冷却を補足するために外部冷却が用いられてもよい。追加的な流入ガス冷却が望ましい係る場合においては、図３〜図７における点線に示されるように、熱・物質伝達手段は分離器区域１１５ｅ（または、冷却された第１部分３２および第２部分３３または冷却されたフィードストリーム３１ａがまったく液体を含まない係る場合におけるガス収集手段）に含まれてもよく、また、熱・物質伝達手段は、図９〜図１３における点線により示されるように、分離器１１に含まれてもよい。この熱・物質伝達手段も、フィンチューブ式熱交換器、プレート式熱交換器、アルミろう付熱交換器、または多経路のおよび／または多機能の熱交換器を含む他の種類の熱交換装置からなってもよい。熱・物質伝達手段は、熱・物質伝達手段の１つの経路を通る冷媒ストリーム（すなわち、プロパン）と、上方に流れるストリーム３１ａの蒸気部分との間で熱交換を行うことにより、冷媒は蒸気をさらに冷却し、追加的液体を凝縮し、追加的液体は落下して、ストリーム３５において除去された液体の一部となるよう構成されたものである。図２および図８の点線に示されるように、分離器区域１１５ｅにおける（図２）、または分離器１１における（図８）熱・物質伝達手段は、冷媒を用いて補助的冷却を提供するための整備を備えてもよい。あるいは、従来のガス冷却機（単数または複数）は、ストリーム３２およびストリーム３３が、分離器区域１１５ｅ（図２）または分離器１１（図８）に流入する前に、またはストリーム３１ａが分離器区域１１５ｅ（図３〜図７）または分離器１１（図９〜図１３）に流入する前に、ストリーム３２、ストリーム３３、および／またはストリーム３１ａを冷媒を用いて冷却するために用いられてもよい。第１蒸溜蒸気ストリームの追加的冷却が望ましい場合においては、処理組立体１１５の凝縮区域１１５ｂ（図２〜図５および図７〜図１１および図１３）における、または熱交換器１０（図６および図１２）における熱交換手段は、点線に示されるように、冷媒を用いて補助的冷却を提供するための整備を備えてもよい。
【手続補正２】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重い炭化水素成分を含有するガスストリームを、揮発性の残留ガス留分と、前記Ｃ３成分およびより重い炭化水素成分の大部分を含有する比較的揮発性がより低い留分へと分割するための方法であって、
（１）前記ガスストリームは、処理組立体に収容された第１熱交換手段において冷却され、
（２）前記冷却されたガスストリームは、より低い圧力へと膨張され、それにより、さらに冷却され、
（３）前記膨張された、冷却されたガスストリームは、前記処理組立体に収容された吸収手段へと、底部フィードとして供給され、
（４）第１蒸留液ストリームは、前記吸収手段の下方領域から収集され、前記処理組立体に収容された物質伝達手段へと、上部フィードとして供給され、
（５）第１蒸留蒸気ストリームは、前記物質伝達手段の上方領域から収集され、前記処理組立体に収容された第２熱交換手段において、十分に冷却され、前記蒸留蒸気ストリームの少なくとも一部が凝縮され、それにより、凝縮されたストリームと、前記第１蒸留蒸気ストリームが冷却された後に残った凝縮されないいくらかの蒸気を含有する残留蒸気ストリームが形成され、
（６）前記凝縮されたストリームの少なくとも一部は前記吸収手段へと上部フィードとして供給され、
（７）第２蒸留蒸気ストリームは、前記吸収手段の上方領域から収集されて前記第２熱交換手段において加熱され、それにより、ステップ（５）の前記冷却の少なくとも一部が供給され、
（８）前記加熱された第２蒸留蒸気ストリームは、混合蒸気ストリームを形成するためにいずれかの前記残留ストリームと混合し、
（９）前記混合された蒸気ストリームは、前記第１熱交換手段において加熱され、それにより、ステップ（１）の前記冷却の少なくとも一部が供給され、次いで、前記揮発性残留ガス留分として前記処理組立体から前記加熱された、混合された蒸気ストリームを放出し、
（１０）第２蒸留液ストリームは、前記物質伝達手段の下方領域から収集され、前記処理組立体に収容される熱・物質伝達手段において加熱され、それにより、前記第２蒸留液ストリームから前記より揮発性が高い成分が同時に除去され、次いで、前記比較的揮発性が低い留分として前記処理組立体から前記加熱された、除去された第２蒸留液ストリームを放出し、
（１１）前記吸収手段への前記フィードストリームの量および温度は、前記吸収手段の前記上方領域の温度を前記比較的揮発性が低い留分の成分の大部分が回収される温度に維持するために効果的である、
方法。
【請求項２】
（ａ）前記ガスストリームは、前記第１熱交換手段において、部分的に凝縮するよう十分に冷却され、
（ｂ）前記部分的に凝縮されたガスストリームは、分離手段に供給され、蒸気ストリームおよび少なくとも１つの液体ストリームを提供するよう分離され、
（ｃ）前記蒸気ストリームは、より低い圧力へと膨張され、それにより、さらに冷却され、
（ｄ）前記膨張された、冷却された蒸気ストリームは、前記吸収手段へと、前記底部フィードとして供給され、
（ｅ）前記少なくとも１つの液体ストリームは、前記より低い圧力へと膨張され、
（ｆ）前記膨張され少なくとも１つの液体ストリームは、前記第１熱交換手段において加熱され、それにより、ステップ（ａ）の前記冷却の少なくとも一部が供給され、次いで、前記物質伝達手段へと底部フィードとして前記加熱された、膨張された少なくとも１つの液体ストリームを供給する、
請求項１に記載の方法。
【請求項３】
（ａ）前記第１蒸留液ストリームは、前記吸収手段の前記下方領域から収集され、そして熱交換手段において加熱され、この場合前記加熱された第１蒸留液ストリームは前記物質伝達手段へと前記上部フィードとして供給され、
（ｂ）前記第１蒸留蒸気ストリームは、前記物質伝達手段の前記上方領域から収集され、前記さらなる熱交換手段において、少なくとも一部を凝縮するために十分に冷却し、それにより、ステップ（ａ）の前記加熱の少なくとも一部を供給し、それにより、前記凝縮されたストリームおよびいずれかの前記残留蒸気ストリームを形成する、
請求項１に記載の方法。
【請求項４】
（ｉ）前記ガスストリームは、前記第１熱交換手段において、部分的に凝縮するよう十分に冷却され、
（ｉｉ）前記部分的に凝縮されたガスストリームは、分離手段へと供給され、蒸気ストリームおよび少なくとも１つの液体ストリームを提供するよう分離され、
（ｉｉｉ）前記蒸気ストリームは、より低い圧力へと膨張され、それにより、さらに冷却され、
（ｉｖ）前記膨張された、冷却された蒸気ストリームは、前記吸収手段へと前記底部フィードとして供給され、
（ｖ）前記少なくとも１つの液体ストリームは、前記より低い圧力へと膨張され、
（ｖｉ）前記膨張された少なくとも１つの液体ストリームは、前記第１熱交換手段において加熱され、それにより、ステップ（ｉ）の前記冷却の少なくとも一部を供給し、次いで、前記物質伝達手段へと底部フィードとして前記加熱された、膨張された少なくとも１つの液体ストリームを供給する、
請求項３に記載の方法。
【請求項５】
（ａ）前記ガスストリームは、前記第１熱交換手段において部分的に冷却され、
（ｂ）前記部分的に冷却されたガスストリームは、第１部分および第２部分へと分割され、
（ｃ）前記第１部分は、分離手段に収容される、さらなる熱・物質伝達手段においてさらに冷却され、それにより、前記第１部分からより揮発性が低い成分を同時に凝縮し、
（ｄ）前記第２部分は、前記第１熱交換手段においてさらに冷却され、
（ｅ）前記さらに冷却された第１部分および前記さらに冷却された第２部分は、前記冷却されたガスストリームを形成するために混合され、
（ｆ）前記第１蒸留液ストリームは、前記吸収手段の前記下方領域から収集され、さらなる熱・物質伝達手段において加熱され、それにより、ステップ（ｃ）の前記冷却の少なくとも一部を供給し、この場合前記加熱された第１蒸留液ストリームは前記物質伝達手段へと前記上部フィードとして供給され、
（ｇ）前記混合蒸気ストリームは、前記第１熱交換手段において加熱され、それにより、ステップ（ａ）およびステップ（ｄ）の前記冷却の少なくとも一部が供給され、次いで、前記加熱された混合蒸気ストリームは前記揮発性残留ガス留分として前記処理組立体から放出される、
請求項１に記載の方法。
【請求項６】
（ａ）前記さらに冷却された第２部分は前記分離手段へと導かれ、その結果、前記第１部分がさらに冷却されるにつれて、および、前記第２部分がさらに冷却されるにつれて、凝縮された液体の全部は混合されて、少なくとも１つの液体ストリームが形成され、前記さらに冷却された第１部分および前記さらに冷却された第２部分の残りは蒸気ストリームを形成し、
（ｂ）前記蒸気ストリームはより低い圧力へと膨張されて、それにより、さらに冷却され、
（ｃ）前記膨張された、冷却された蒸気ストリームは、前記吸収手段へと、底部フィードとして供給され、
（ｄ）前記少なくとも１つの液体ストリームは、前記より低い圧力へと膨張され、
（ｅ）前記膨張された少なくとも１つの液体ストリームは前記第１熱交換手段において加熱され、それにより、前記ガスストリームの前記部分的な冷却の少なくとも一部が供給され、次いで、前記加熱された、膨張された少なくとも１つの液体ストリームは前記物質伝達手段へと底部フィードとして供給される、
請求項５に記載の方法。
【請求項７】
（ｉ）前記第１部分は、第３熱交換手段においてさらに冷却され、
（ｉｉ）前記第１蒸留液ストリームは、前記吸収手段の前記下方領域から収集され、前記第３熱交換手段において加熱され、それにより、ステップ（ｉ）の前記冷却の少なくとも一部が供給され、この場合前記加熱された第１蒸留液ストリームは、前記前記物質伝達手段へと前記上部フィードとして供給される、
請求項５に記載の方法。
【請求項８】
（ａ）前記さらに冷却された第１部分および前記さらに冷却された第２部分は混合され、その結果、部分的に凝縮されたガスストリームが形成され、
（ｂ）前記部分的に凝縮されたガスストリームは分離手段へと供給されて前記分離手段において分離され、その結果、蒸気ストリームと、少なくとも１つの液体ストリームとが提供され、
（ｃ）前記蒸気ストリームはより低い圧力へと膨張されて、それにより、さらに冷却され、
（ｄ）前記膨張された、冷却された蒸気ストリームは、前記吸収手段へと、前記底部フィードとして供給され、
（ｅ）前記少なくとも１つの液体ストリームは、前記より低い圧力へと膨張され、
（ｆ）前記膨張された少なくとも１つの液体ストリームは前記第１熱交換手段において加熱され、それにより、前記ガスストリームの前記部分的な冷却の少なくとも一部が供給され、次いで、前記加熱された、膨張された少なくとも１つの液体ストリームは前記物質伝達手段へと底部フィードとして供給される、
請求項７に記載の方法。
【請求項９】
前記さらなる熱交換手段は前記処理組立体に収容された、請求項４に記載の方法。
【請求項１０】
前記分離手段は前記処理組立体に収容された、請求項４、請求項５、請求項６、請求項８、または請求項９に記載の方法。
【請求項１１】
（ａ）前記加熱された第１蒸留液ストリームは、中間フィード位置において、前記物質伝達手段へと供給され、
（ｂ）前記凝縮されたストリームは、少なくとも、第１還流ストリームおよび第２還流ストリームに分割され、
（ｃ）前記第１還流ストリームは前記吸収手段へと前記上部フィードとして供給され、
（ｄ）前記第２還流ストリームは前記物質伝達手段へと前記上部フィードとして供給される、
請求項４、請求項５、請求項６、請求項８、請求項９または請求項１０に記載の方法。
【請求項１２】
（ａ）ガス収集手段は前記処理組立体に収容され、
（ｂ）追加的熱・物質伝達手段は前記ガス収集手段内に備えられ、前記追加的熱・物質伝達手段は、外部冷媒用の、１つまたは複数の経路を備え、
（ｃ）前記冷却されたガスストリームは前記ガス収集手段へと供給され、前記追加的熱・物質伝達手段へと導かれ、その結果、前記外部冷媒によりさらに冷却され、
（ｄ）前記さらに冷却されたガスストリームは前記より低い圧力へと膨張され、次いで、前記吸収手段へと前記底部フィードとして供給される、
請求項１、請求項３、請求項７、請求項３０、または請求項３２に記載の方法。
【請求項１３】
（ａ）追加的熱・物質伝達手段は、前記分離手段内に備えられ、前記追加的熱・物質伝達手段は、外部冷媒用の、１つまたは複数の経路を備え、
（ｂ）前記蒸気ストリームは前記追加的熱・物質伝達手段へと導かれて、前記外部冷媒により冷却され、その結果、追加的凝縮水が形成され、
（ｃ）前記凝縮水は前記分離手段内で分離された前記少なくとも１つの液体ストリームの一部となる、
請求項２、請求項５、請求項６、請求項８、請求項９、請求項１０または請求項１１に記載の方法。
【請求項１４】
メタン、Ｃ２成分、Ｃ３成分、およびより重い炭化水素成分を含有するガスストリームを、揮発性の残留ガス留分と、前記Ｃ３成分およびより重い炭化水素成分の大部分を含有する比較的揮発性が低い留分へと分割するための装置であって、
（１）前記ガスストリームを冷却するための、処理組立体に収容された第１熱交換手段と、
（２）前記冷却されたガスストリームを受容し前記冷却されたガスストリームをより低い圧力へと膨張させるための、前記第１熱交換手段に接続された膨張手段と、
（３）前記膨張された冷却されたガスストリームを、吸収手段への底部フィードとして受容するための、前記処理組立体に収容され且つ前記膨張手段に接続された前記吸収手段と、
（４）第１蒸留液ストリームを前記吸収手段の下方領域から受容するための、前記処理組立体に収容され且つ前記吸収手段に接続された第１液体収集手段と、
（５）前記第１蒸留液ストリームを物質伝達手段への上部フィードとして受容するための、前記処理組立体に収容され且つ前記第１液体収集手段に接続された前記物質伝達手段と、
（６）前記物質伝達手段の上方領域から第１蒸留蒸気ストリームを受容するための、前記処理組立体に収容され且つ前記物質伝達手段に接続された第１蒸気収集手段と、
（７）前記第１蒸留蒸気ストリームを受容し、前記第１蒸留蒸気ストリームを十分に冷却して、前記第１蒸留蒸気ストリームの少なくとも一部を凝縮することにより、凝縮されたストリームと、前記第１蒸留蒸気ストリームが冷却された後に残った凝縮されない蒸気の全部を含有する残留蒸気ストリームとを形成するために、前記第１蒸気収集手段に接続され、前記処理組立体に収容された第２熱交換手段と、
（８）前記凝縮されたストリームの少なくとも一部を前記吸収手段への上部フィードとして受容するための、前記第２熱交換手段にさらに接続された前記吸収手段と、
（９）前記吸収手段の上方領域から第２蒸留蒸気ストリームを受容するための、前記処理組立体に収容され且つ前記吸収手段に接続された第２蒸気収集手段と、
（１０）前記第２蒸留蒸気ストリームを受容および加熱することにより、ステップ（７）の前記冷却の少なくとも一部を供給するための、前記第２蒸気収集手段にさらに接続された前記第２熱交換手段と、
（１１）前記加熱された第２蒸留蒸気ストリームと、前記残留蒸気ストリームの全部とを受容して混合蒸気ストリームを形成するための、前記第２熱交換手段に接続された混合手段と、
（１２）前記混合蒸気ストリームを受容および加熱することにより、ステップ（１）の前記冷却の少なくとも一部を供給し、次いで、前記加熱された混合蒸気ストリームを、前記揮発性残留ガス留分として前記処理組立体から放出するための、前記混合手段にさらに接続された前記第１熱交換手段と、
（１３）第２蒸留液ストリームを前記物質伝達手段の下方領域から受容するための、前記処理組立体に収容され且つ前記物質伝達手段に接続された第２液体収集手段と、
（１４）前記第２蒸留液ストリームを受容および加熱することにより、前記より揮発性が高い成分を前記第２蒸留液ストリームから同時に除去し、次いで、前記加熱および除去された第２蒸留液ストリームを、前記処理組立体から、前記比較的揮発性が低い留分として放出するための、前記処理組立体に収容され且つ前記第２液体収集手段に接続された熱・物質伝達手段と、
（１５）前記吸収手段の前記上方領域の前記温度を、前記比較的揮発性が低い留分の成分の大部分が回収される温度に維持するための、前記吸収手段への前記フィードストリームの量および温度を調節するよう適応された制御手段と、
を備える装置。
【請求項１５】
（ａ）前記第１熱交換手段は、部分的に凝縮するよう前記ガスストリームを十分に冷却する様に適応され、
（ｂ）分離手段は、前記部分的に凝縮されたガスストリームを受容し、蒸気ストリームおよび少なくとも１つの液体ストリームへと分離する様に前記第１熱交換手段に接続され、
（ｃ）前記膨張手段は、前記蒸気ストリームを受容し、より低い圧力へと膨張されることにより、さらに冷却する様に前記分離手段に接続され、
（ｄ）前記吸収手段は、前記底部フィードとして前記膨張された、冷却された蒸気ストリームを受容する前記膨張手段に接続され、
（ｅ）追加的な膨張手段は、前記少なくとも１つの液体ストリームを受容し、より低い圧力へと膨張する様に、前記分離手段に接続され、
（ｆ）前記第１熱交換手段は、前記膨張された少なくとも１つの液体ストリームを受容し加熱する様に前記追加的な膨張手段に接続し、それにより、ステップ（ａ）の前記冷却の少なくとも一部を供給し、前記第１熱交換手段が、底部フィードとして前記加熱された、膨張した少なくとも１つの液体ストリームを供給する前記物質伝達手段にさらに接続される、
請求項１４に記載の装置。
【請求項１６】
（ａ）さらなる熱交換手段は、前記第１蒸留液ストリームを受容し加熱される様に前記第１液体収集手段に接続し、
（ｂ）前記物質伝達手段は、前記上部フィードとして前記加熱された第１蒸留液ストリームを受容する前記さらなる熱交換手段に接続され、
（ｃ）前記さらなる熱交換手段は、前記第１蒸留蒸気ストリームを受容し少なくとも一部が凝縮するよう十分に冷却する様に前記第１蒸気収集手段にさらに接続し、これにより、ステップ（ａ）の前記加熱の少なくとも一部を供給し、それにより、前記凝縮されたストリームおよびいずれかの前記残留蒸気ストリームを形成する、
請求項１４に記載の装置。
【請求項１７】
（ｉ）前記第１熱交換手段は、部分的に凝縮するよう十分に前記ガスストリームを冷却するよう適合され、
（ｉｉ）分離手段は、前記部分的に凝縮されたガスストリームを受容し、蒸気ストリームおよび少なくとも１つの液体ストリームへと分離される様に前記第１熱交換手段に接続され、
（ｉｉｉ）前記膨張手段は、前記蒸気ストリームを受容し、より低い圧力へと膨張され、それにより、さらに冷却される様に前記分離手段に接続され、
（ｉｖ）前記吸収手段は、前記底部フィードとして前記膨張された、冷却されたストリームを受容する前記膨張手段に接続され、
（ｖ）追加的な膨張手段は、前記少なくとも１つの液体ストリームを受容し、前記より低い圧力へと膨張される様に前記分離手段に接続され、
（ｖｉ）前記第１熱交換手段は、前記膨張した少なくとも１つの液体ストリームを受容し、加熱され様に前記追加的な膨張手段にさらに接続されそれにより、ステップ（ｉ）の前記冷却の少なくとも一部を供給し、前記第１熱交換手段が、底部フィードとして前記加熱された、膨張された少なくとも１つの液体ストリームを供給する前記物質伝達手段にさらに接続される、
請求項１６に記載の装置。
【請求項１８】
（ａ）前記第１熱交換手段は、前記ガスストリームを部分的に冷却するよう適合され、
（ｂ）分割手段は、前記部分的に冷却されたガスストリームを受容し、前記部分的に冷却されたガスストリームを第１部分および第２部分に分割するための、前記第１熱交換手段に接続され、
（ｃ）分離手段に収容されたさらなる熱・物質伝達手段は、前記第１部分を受容し、さらに冷却される為に前記分割手段に接続され、前それにより記第１部分からの、いずれかのより揮発性の低い成分を同時に凝縮し、
（ｄ）前記第１熱交換手段は、前記第２部分を受容し、さらに冷却される様に前記分割手段にさらに接続され、
（ｅ）さらなる混合手段は、前記さらに冷却された第１部分および前記さらに冷却された第２部分を受容し冷却されたガスストリーム形成する様に前記さらなる熱・物質伝達手段および前記第１熱交換手段に接続され、
（ｆ）前記膨張手段は、前記冷却されたガスストリームを受容し、より低い圧力へと膨張する様に前記さらなる混合手段に接続され、
（ｇ）前記さらなる熱・物質伝達手段は、前記第１蒸留液ストリームを受容し加熱する為に前記第１液体収集手段にさらに接続され、これにより、ステップ（ｃ）の前記冷却の少なくとも一部を供給し、
（ｈ）前記物質伝達手段が、前記上部フィードとして前記加熱された第１蒸留液ストリームを受容するため前記さらなる熱・物質伝達手段に接続され、
（ｉ）前記第１熱交換手段は、前記混合蒸気ストリームを受容および加熱することにより、ステップ（ａ）およびステップ（ｄ）の前記冷却の少なくとも一部を供給し、次いで、前記加熱された混合蒸気ストリームを、前記揮発性残留ガス留分として前記処理組立体から放出するための、前記第２混合手段にさらに接続される、
請求項１４に記載の装置。
【請求項１９】
（ａ）前記分離手段は、前記さらに冷却された第２部分を受容する為に前記第１熱交換手段にさらに接続され、その結果、前記第１部分がさらに冷却され、および、前記第２部分がさらに冷却されるにつれて、凝縮された液体の全部は混合されて、少なくとも１つの液体ストリームが形成され、前記さらに冷却された第１部分および前記さらに冷却された第２部分の残りは蒸気ストリームを形成することとなり、
（ｂ）前記第１膨張手段は、前記蒸気ストリームを受容し、前記蒸気ストリームをより低い圧力へと膨張させることにより、前記蒸気ストリームをさらに冷却するための、前記分離手段に接続され、
（ｃ）前記吸収手段は、前記膨張された、冷却された蒸気ストリームを前記吸収手段への前記底部フィードとして受容するための、且つ前記第１膨張手段に接続され、  
（ｄ）追加的な膨張手段は、前記少なくとも１つの液体ストリームを受容する前記より低圧へと膨張される様に前記分離手段に接続され、
（ｅ）前記第１熱交換手段は、前記膨張された少なくとも１つの液体ストリームを受容し、加熱する様に前記追加的な膨張手段に接続され、前記ガスストリームの前記部分的な冷却の少なくとも一部を提供し、底部フィードとして前記加熱された、膨張された少なくとも１つの液体ストリームを供給する前記物質伝達手段にさらに接続する、請求項１８に記載の装置。
【請求項２０】
（ｉ）第３熱交換手段は、前記第１部分を受容し、さらに冷却する様に前記分割手段に接続し、
（ｉｉ）前記さらなる混合手段は、前記さらに冷却された第１部分および前記さらに冷却された第２部分を受容し、前記冷却されたガスストリームを形成する為に前記第３熱交換手段および前記第１熱交換手段に接続され、
（ｉｉｉ）前記第３熱交換手段は、前記第１蒸留液ストリームを受容し、加熱する為にする前記第１液体収集手段にさらに接続され、それによりステップ（ｉ）の前記冷却の少なくとも一部を供給し、
（ｉｖ）前記物質伝達手段は、前記上部フィードとしての前記加熱された第１蒸留液ストリームを受容するため前記第３熱交換手段に接続される、
請求項１８に記載の装置。
【請求項２１】
（ａ）前記さらなる混合手段が、前記さらに冷却された第１部分および前記さらに冷却された第２部分を受容して部分的に凝縮されたガスストリームを形成するよう適応され、  
（ｂ）分離手段は、前記部分的に凝縮されたガスストリームを受容し、前記部分的に凝縮されたガスストリームを、蒸気ストリームと、少なくとも１つの液体ストリームとに分離するために、前記さらなる混合手段に接続され、
（ｃ）前記膨張手段は、前記蒸気ストリームを受容し、前記蒸気ストリームをより低い圧力へと膨張させることにより、前記蒸気ストリームをさらに冷却するために、前記分離手段に接続され、
（ｄ）前記吸収手段は、前記底部フィードとして前記膨張された、冷却された蒸気ストリームを受容するため前記膨張手段に接続され、
（ｅ）追加的な膨張手段は、前記少なくとも１つの液体ストリームを受容しより低い圧力へと膨張する為に前記分離手段に接続され、
（ｆ）前記第１熱交換手段は、前記膨張された少なくとも１つの液体ストリームを受容し、加熱する為にする前記追加的な膨張手段にさらに接続され、これにより前記ガスストリーム前記冷却の少なくとも一部が供給され、
前記第１熱交換手段が底部フィードとして前記加熱された、膨張された少なくとも１つの液体ストリームを供給する前記物質伝達手段にさらに接続されている
請求項２０に記載の装置。
【請求項２２】
前記さらなる熱交換手段は、前記処理組立体に収容される、請求項１７に記載の装置。
【請求項２３】
前記分離手段は、前記処理組立体に収容される、請求項１５、請求項１７、もしくは請求項２２に記載の装置。
【請求項２４】
（ａ）前記物質伝達手段は、中間フィード位置において前記加熱された第１蒸留液ストリームを受容する前記さらなる熱交換手段に接続されるよう適応され、
（ｂ）分割手段は、前記凝縮されたストリームを受容し、少なくとも第１および第２還流ストリームへと分割され為に前記さらなる熱交換手段に接続され、
（ｃ）前記吸収手段は、前記上部フィードとして前記第１還流ストリームを受容する前記分割手段に接続するよう適応され、
（ｄ）前記物質伝達手段は、前記上部フィードとして前記第２還流ストリームを受容する前記分割手段に接続されるよう適応される、
請求項１７、請求項２２、もしくは請求項２３に記載の装置。
【請求項２５】
（ａ）前記物質伝達手段は、中間フィード位置において前記加熱された第１蒸留液ストリームを受容する前記第３熱交換手段に接続されるよう適応され、
（ｂ）追加的な分割手段は、前記凝縮されたストリームを受容し、少なくとも第１および第２還流ストリームへと分割される様に前記第２熱交換手段に接続され、
（ｃ）前記吸収手段は、前記上部フィードとして前記第１還流ストリームを受容する前記追加的な分割手段に接続されるよう適応され、
（ｄ）前記物質伝達手段は、前記上部フィードとして前記第２還流ストリームを受容する前記追加的な分割手段に接続されるよう適応される、
請求項２１もしくは請求項３５に記載の装置。
【請求項２６】
（ａ）前記物質伝達手段は、中間フィード位置において前記加熱された第１蒸留液ストリームを受容する前記さらなる熱・物質伝達手段に接続されるよう適応され、
（ｂ）追加的な分割手段は、前記凝縮されたストリームを受容し、少なくとも第１および第２還流ストリームへと分割する様前記第２熱交換手段に接続され、
（ｃ）前記吸収手段は、前記上部フィードとして前記第１還流ストリームを受容する前記追加的な分割手段に接続されるよう適応され、
（ｄ）前記物質伝達手段は、前記上部フィードとして前記第２還流ストリームを受容する前記追加的な分割手段に接続されるよう適応される、
請求項１８、請求項１９、もしくは請求項３４に記載の装置。
【請求項２７】
（ａ）ガス収集手段は、前記処理組立体に収容され、
（ｂ）追加的な熱・物質伝達手段は、前記の前記ガス収集手段内に含まれ、外部冷媒用の、１つまたは複数の経路を備え、
（ｃ）前記ガス収集手段は、前記冷却されたガスストリームを受容し、前記外部冷媒によりさらに冷却される前記追加的な熱・物質伝達手段へと導かれる様に前記第１熱交換手段に接続され、
（ｄ）前記膨張手段は、前記さらなる冷却されたガスストリームを受容し、より低い圧力へと膨張する様に前記ガス収集手段に接続され、前記膨張手段は、前記底部フィードとして前記膨張され、さらに冷却されたストリームを供給する前記吸収手段に接続されるよう適応される、
請求項１４、請求項１６、もしくは請求項２０に記載の装置。
【請求項２８】
（ａ）ガス収集手段は、前記処理組立体に収容され、
（ｂ）追加的な熱・物質伝達手段は、前記の前記ガス収集手段内に含まれ、外部冷媒用の、１つまたは複数の経路を備え、
（ｃ）前記ガス収集手段は、前記冷却されたガスストリームを受容し前記外部冷媒によりさらに冷却される前記追加的な熱・物質伝達手段へと導かれる様に前記第１混合手段に接続され、
（ｄ）前記膨張手段は、前記さらに冷却されたガスストリームを受容しより低い圧力へと膨張される様にする前記ガス収集手段に接続され、前記膨張手段は、前記底部フィードとして前記膨張され、さらに冷却されたガスストリームを供給する前記吸収手段にさらに接続されるよう適応される、
請求項２０に記載の装置。
【請求項２９】
（ａ）前記追加的な熱・物質伝達手段は、前記の前記分離手段内に含まれ, 外部冷媒用の、１つまたは複数の経路を備えて
（ｂ）前記蒸気ストリームは、前記追加的熱・物質伝達手段へと導かれて、前記外部冷媒により冷却され、その結果、追加的凝縮水が形成され、
（ｃ）前記凝縮水は、分離された前記少なくとも１つの液体ストリームの一部となる、
請求項１５、請求項１７、請求項２１、請求項２２、請求項２３、請求項２４、または請求項２５に記載の装置。
【請求項３０】
前記さらなる熱交換手段は、前記処理組立体に収容される、請求項３に記載の方法。
【請求項３１】
前記分離手段は、前記処理組立体に収容される、請求項２に記載の方法。
【請求項３２】
（ａ）前記加熱された第１蒸留液ストリームは、中間フィード位置において前記物質伝達手段へ供給され、
（ｂ）前記凝縮されたストリームは、少なくとも第１および第２還流ストリームへと分割され、
（ｃ）前記第１還流ストリームは、前記吸収手段へと前記上部フィードとして供給され、
（ｄ）前記第２還流ストリームは、前記物質伝達手段へと前記上部フィードとして供給される、
請求項３または請求項７に記載の方法。
【請求項３３】
前記さらなる熱交換手段は、前記処理組立体に収容される、請求項１６に記載の装置。
【請求項３４】
前記分離手段は、前記処理組立体に収容される、請求項１８または請求項１９に記載の装置。
【請求項３５】
前記分離手段は、前記処理組立体に収容される、請求項２１に記載の方法。
【請求項３６】
（ａ）前記物質伝達手段は、中間フィード位置において前記加熱された第１蒸留液ストリームを受容する為に前記さらなる熱交換手段に接続されるよう適応され、
（ｂ）分割手段は、前記凝縮されたストリームを受容し、少なくとも第１および第２還流ストリームへと分割される為に前記さらなる熱交換手段に接続され、
（ｃ）前記吸収は、前記上部フィードとして前記第１還流ストリームを受容する前記分割手段に接続されるよう適応され、
（ｄ）前記物質伝達手段は、前記上部フィードとして前記第２還流ストリームを受容する前記分割手段に接続されるよう適応される、
請求項１６に記載の装置。
【請求項３７】
（ａ）前記物質伝達手段は、中間フィード位置において前記加熱された第１蒸留液ストリームを受容する前記第３熱交換手段に接続されるよう適応され、
（ｂ）追加的な分割手段は、前記凝縮されたストリームを受容し少なくとも第１および第２還流ストリームへと分割される様に前記第２熱交換手段に接続され、
（ｃ）前記吸収手段は、前記上部フィードとして前記第１還流ストリームを受容する前記追加的な分割手段に接続されるよう適応され、
（ｄ）前記物質伝達手段は、前記上部フィードとして前記第２還流ストリームを受容する前記追加的な分割手段に接続されるよう適応される、
請求項２０に記載の装置。